(57)【要約】【課題】現像装置に特別な機能を持たせたり、形状変化をさせたりすることなく、装置本体による現像装置の適合／不適合の判別を可能にすること。【解決手段】カートリッジ１１は予め定められた種別の現像装置１０とのみ装着可能な形状となっている。更にカートリッジ１１はＲＦＩＤタグを有し、カートリッジ側メモリ１２２にはカートリッジ１１の種別情報が記憶されている。現像ユニット１３が装置本体２に取り付けられると、アンテナ１２１はカートリッジ側メモリ１２２に記憶されている種別情報をＲＦＩＤユニット２２に送信する。判別部２１１は装置本体側メモリ２３に記憶されている装置本体２の種別情報と送信された種別情報とを比較する。同じ種別であれば、制御部２１は装置本体２を画像形成可能状態にする。異なる種別であれば、中止制御部２１２は装置本体２を画像形成中止状態とする。【選択図】図３
2009116150.tif 000002
【特許請求の範囲】
【請求項１】
画像データに基づいて記録媒体に画像を形成する装置本体と、
予め定められた種別の前記装置本体に適合した現像装置と、
予め定められた種別の前記現像装置に対してのみ装着可能な形状で構成されており、予め定められた種別の前記装置本体に最適な現像剤を収容したカートリッジと、
を備え、装着状態にある前記現像装置と前記カートリッジは前記装置本体に対して着脱可能に構成されている画像形成装置であって、
前記カートリッジは、種別情報を記憶するカートリッジ側記憶手段と、前記カートリッジ側記憶手段に記憶された種別情報を出力する出力手段を有し、
前記装置本体は、前記カートリッジの出力手段から出力された前記種別情報を入力する入力手段と、該装置本体に関する種別情報を記憶する装置本体側記憶手段と、前記入力された種別情報と前記装置本体側記憶手段に記憶されている種別情報とを比較して前記現像装置と該装置本体とが適合するか否かを判別する判別手段を有することを特徴とする画像形成装置。
【請求項２】
前記装置本体は、前記判別手段によって前記現像装置と該装置本体とが不適合と判別されたときに前記画像の形成を中止する制御を行う中止制御手段を更に有することを特徴とする請求項１に記載の画像形成装置。
【請求項３】
前記装置本体は、前記判別手段によって前記現像装置と該装置本体とが不適合と判別されたとき、その旨を報知する報知手段を更に有することを特徴とする請求項１又は２に記載の画像形成装置。
【請求項４】
予め定められた種別の装置本体に適合した現像装置と、
種別情報を記憶するカートリッジ側記憶手段と、前記カートリッジ側記憶手段に記憶された種別情報を出力する出力手段を有し、予め定められた種別の前記現像装置に対してのみ装着可能な形状で構成されており、予め定められた種別の前記装置本体に最適な現像剤を収容したカートリッジと、
を備えた現像ユニット。
【発明の詳細な説明】
【技術分野】
【０００１】
本発明は、画像データに基づいて記録媒体に画像を形成する画像形成装置及び現像ユニットに関するものである。
【背景技術】
【０００２】
磁性体トナーを用いて静電潜像を現像する現像装置を備えたプリンタやファックス、複写機等の画像形成装置は、装置本体に装着されたカートリッジから供給されるトナーを用いて静電潜像をトナー像化し、このトナー像を用紙等に転写することによって画像形成を行う。そして、カートリッジ内のトナーがなくなると、ユーザによって新しいカートリッジに交換されることにより、画像形成装置内にトナーが補充される。カートリッジ交換の際、ユーザがカートリッジと現像装置が装着された状態のものを装置本体から取り外してカートリッジの交換を行う仕様の画像形成装置が多く普及している。このような画像形成装置では、ユーザは取り出した現像装置から空のカートリッジを外して新しいカートリッジを装着し、これを再び装置本体に設置して、交換作業が完了する。
【０００３】
また、近年の画像形成装置の多機能化及び多様化により、画像形成装置の種別に応じて現像装置の構造やトナーの特性を最適化し、画像形成装置の性能を向上させる動きが盛んである。このような場合、異なる種別の画像形成装置に対して最適化されたトナーを収容したカートリッジや現像装置をユーザが誤って装置本体に設置する可能性もある。このようなカートリッジや現像装置の誤装着は、画像形成装置の性能を落とすだけでなく、故障の原因にもなり得る。
【０００４】
そこで、装置本体から出力される充電電流を蓄える個別のコンデンサを各現像装置に配設し、このコンデンサに対して充電電流が流れたときに発生する過渡現象時の波形の変化に基づいて現像装置を識別し、誤った現像装置であると識別された場合はユーザに報知したり、画像形成を中止したりする方法が特許文献１に記載されている。その他、現像装置の形状を種別毎に変更し、装置本体の現像装置装着部分の構成も正しい現像装置しか装着できない形状とした画像形成装置も開発された。
【特許文献１】特開２００６−９１４９１号公報
【発明の開示】
【発明が解決しようとする課題】
【０００５】
しかしながら、特許文献１に記載された技術は現像装置の種別を識別するための電気的構成が必要となるためコストがかかるといった問題があった。また、現像装置の形状を種別毎に変更する方法は、装置本体の部品を共通化できないという問題があった。
【０００６】
本発明は、上記の問題を解決するためになされたもので、現像装置に特別な機能を持たせたり、形状変化をさせたりすることなく、装置本体が取り付けられた現像装置の適合／不適合を判別可能にすることを目的とするものである。
【課題を解決するための手段】
【０００７】
本発明の請求項１に記載の発明の画像処理装置は、画像データに基づいて記録媒体に画像を形成する装置本体と、予め定められた種別の前記装置本体に適合した現像装置と、予め定められた種別の前記現像装置に対してのみ装着可能な形状で構成されており、予め定められた種別の前記装置本体に最適な現像剤を収容したカートリッジと、を備え、装着状態にある前記現像装置と前記カートリッジは前記装置本体に対して着脱可能に構成されている画像形成装置であって、前記カートリッジは、種別情報を記憶するカートリッジ側記憶手段と、前記カートリッジ側記憶手段に記憶された種別情報を出力する出力手段を有し、前記装置本体は、前記カートリッジの出力手段から出力された前記種別情報を入力する入力手段と、該装置本体に関する種別情報を記憶する装置本体側記憶手段と、前記入力された種別情報と前記装置本体側記憶手段に記憶されている種別情報とを比較して前記現像装置と該装置本体とが適合するか否かを判別する判別手段を有することを特徴としている。
【０００８】
この請求項１に記載の発明によれば、カートリッジは予め定められた種別の現像装置に対してのみ装着可能な形状であり、これらカートリッジと現像装置は予め定められた同じ種別の装置本体に対して最適に調整されている。装置本体の判別手段はカートリッジに取り付けられたカートリッジ側記憶手段に記憶された種別情報と装置本体側記憶手段に記憶された種別情報とを比較して適合／不適合を判別するが、２つの種別情報を比較した結果、カートリッジは装置本体に適したものである（具体的には、種別情報が一致している）と判別手段が判別した場合、カートリッジに装着されている現像装置もまた当該装置本体に適したものであると判断することができる。これら適合／不適合の判別はカートリッジと装置本体が有する手段によって行われるため、現像装置は特別な装置や回路等は不要であり、加えて現像装置の形状を適した装置本体にのみ取付可能な特別な形状にする必要もない。従って、装置本体と現像装置の適合／不適合の判別を簡単に行うことができ、コストを削減することができる。
【０００９】
また、請求項２に記載の発明は、請求項１に記載の画像形成装置であって、前記装置本体は、前記判別手段によって前記現像装置と該装置本体とが不適合と判別されたときに前記画像の形成を中止する制御を行う中止制御手段を更に有することを特徴としている。
【００１０】
この、請求項２に記載の発明によれば、装置本体にとって不適合な現像装置の使用を防ぐことができ、装置本体の故障を未然に防ぐことができる。
【００１１】
請求項３に記載の発明は、請求項２に記載の画像形成装置であって、前記装置本体は、前記判別手段によって前記現像装置と該装置本体とが不適合と判別されたとき、その旨を報知する報知手段を更に有することを特徴としている。
【００１２】
この請求項３に記載の発明によれば、ユーザは現像装置の誤装着を簡単に知ることができる。
【００１３】
請求項４に記載の発明の現像ユニットは、予め定められた種別の装置本体に適合した現像装置と、種別情報を記憶するカートリッジ側記憶手段と、前記カートリッジ側記憶手段に記憶された種別情報を出力する出力手段を有し、予め定められた種別の前記現像装置に対してのみ装着可能な形状で構成されており、予め定められた種別の前記装置本体に最適な現像剤を収容したカートリッジと、を備えたことを特徴としている。
【００１４】
この請求項４に記載の発明によれば、カートリッジは予め定められた種別の現像装置に対してのみ装着可能な形状であり、これらカートリッジと現像装置は予め定められた同じ種別の装置本体に対して最適に調整されている。装置本体はカートリッジに取り付けられたカートリッジ側記憶手段に記憶された種別情報に基づいて装置本体とカートリッジの適合／不適合を判別する。２つの種別情報を比較した結果、カートリッジは装置本体に適したものである（具体的には、種別情報が一致している）と判別された場合、カートリッジに装着されている現像装置もまた当該装置本体に適したものであると判断することができる。これら適合／不適合の判別はカートリッジと装置本体が有する手段によって行われるため、現像装置は特別な装置や回路等は不要であり、現像装置の形状を種別の同じ装置本体にのみ取付可能な特別な形状にする必要もない。従って、現像ユニットのコストを削減することができる。
【発明の効果】
【００１５】
請求項１に記載の発明によれば、現像装置と装置本体の適合／不適合の判別はカートリッジと装置本体が有する手段によって行われるため、現像装置は特別な装置や回路等は不要であり、加えて現像装置の形状を適した装置本体にのみ取付可能な特別な形状にする必要もない。従って、装置本体と現像装置の適合／不適合の判別を簡単に行うことができ、コストを削減することができる。
【００１６】
請求項２に記載の発明によれば、装置本体にとって不適合な現像装置の使用を防ぐことができ、装置本体の故障を未然に防ぐことができる。
【００１７】
請求項３に記載の発明によれば、ユーザは現像装置の誤装着を簡単に知ることができる。
【００１８】
請求項４に記載の発明によれば、現像装置と装置本体の適合／不適合の判別はカートリッジと装置本体が有する手段によって行われるため、現像装置は特別な装置や回路等は不要であり、現像装置の形状を種別の同じ装置本体にのみ取付可能な特別な形状にする必要もない。従って、現像ユニットのコストを削減することができる。
【発明を実施するための最良の形態】
【００１９】
以下、本発明の一実施形態に係る画像形成装置について図面を参照して説明する。図１は、本発明の実施の形態による画像形成装置１の全体概略図である。画像形成装置１は、ネットワークプリンタプリンタ、ファクシミリ、並びにコピー機能、プリンタ機能、スキャナ機能及びファクシミリ機能等の各種機能を兼ね備えたデジタル複合機から構成される。
【００２０】
画像形成装置１は、装置本体２の下部に配設された給紙部１００と、この給紙部１００の上方に配設された用紙搬送部２００と、給紙部１００の上方に配設された画像形成部３００と、この画像形成部３００の上方に配設された定着部４００と、これら画像形成部３００及び定着部４００の上方に配設された画像読取部５００とを備えている。
【００２１】
給紙部１００は、給紙カセット１０１に積層載置された用紙の束を、給紙ローラ１１５の回転動作によって最上位の用紙から１枚ずつ用紙搬送部２００に給紙する。用紙搬送部２００は、給紙部１００から給紙された用紙を、各種ローラ対２０２によって画像形成部３００に搬送する。更に、給紙部１００は、画像形成部３００及び定着部４００において画像形成がなされた用紙を、排出ローラ２０５によって装置本体２の側部に設けられた用紙排出トレイ２０４に排出する。
【００２２】
画像読取部５００は、コンタクトガラス上に載置された原稿に、露光ランプから光を照射し、反射鏡を介してその反射光をＣＣＤラインセンサ等からなる光電変換部に導くことにより、原稿の画像情報を読み取る。画像形成部３００は、上記画像読取部５００の下方に配設され、電子写真プロセスによって、用紙上に所定のトナー像を形成する。そして、画像形成部３００は、回転可能に軸支された光導電性を有する感光体ドラム３０１を備えている。感光体ドラム３０１の周囲には、その回転方向に沿って、帯電装置３０２、露光装置３０３、現像装置１０、転写装置３０５、クリーニング装置３０６及び除電装置（図示せず）が配設されている。現像装置１０にはトナーを収容したカートリッジ１１が装着されている。現像ユニット１３は、カートリッジ１１と現像装置１０が装着状態にあるものを言う。
【００２３】
定着部４００は、上記画像形成部３００の用紙搬送方向の下流側に配置され、画像形成部３００においてトナー像が転写された用紙を、一対の定着ローラ４０１によって挟んで加熱し、用紙上のトナー像を定着させる。
【００２４】
画像形成装置１の基本的な作動状態を簡単に説明すると、帯電装置３０２により図１で時計方向に回転する感光体ドラム３０１が一様に帯電され、上記画像読取部５００で読み取られた画像情報に基づいて露光装置３０３（レーザー走査装置等）からの画像露光により感光体ドラム３０１上に静電潜像が形成され、現像装置１０により静電潜像に磁性体からなるトナーが付着されてトナー像が形成される。
【００２５】
上記のようにトナー像が形成された感光体ドラム３０１に向けて、給紙部１００から用紙搬送部２００を通って用紙が画像形成部３００に搬送され、この画像形成部３００において転写ローラ等からなる転写装置３０５により感光体ドラム３０１の表面におけるトナー像が用紙に転写される。そして、トナー像が転写された用紙は感光体ドラム３０１から分離され、定着部４００に搬送されてトナー像が定着される。定着部４００を通過した用紙は、排出ローラ２０５を経て用紙排出トレイ２０４に排出される。そして、転写装置３０５による転写後、クリーニング装置３０６及び除電装置は感光ドラム３０１の残留トナーや残留電荷を除去し、帯電装置３０２は必要に応じて再び感光ドラム３０１を帯電する。
【００２６】
このような画像形成装置１では、カートリッジ１１内のトナーがなくなると、ユーザは装置本体２から現像ユニット１３を取り出し、現像装置１０から空のカートリッジ１１を取り外して新しいカートリッジ１１を装着し、再度現像ユニット１３を装置本体２に取り付けることによって装置本体２にトナーが補給される。現像装置１０は装置本体２の仕向け地（設置地域）の環境、装置本体２の仕様や特性等に合わせて最適化されて構成されており、同様にカートリッジ１１も装置本体２に最適に調整されたトナーを収容している。従って、ユーザが誤って装置本体２に適していないトナーを収容したカートリッジ１１を現像装置１０に装着して装置本体２に取り付けた場合、またはカートリッジ１１を装置本体２に適していない現像装置１０に装着して装置本体２に取り付けた場合、装置本体２の性能が十分に発揮されないばかりか、装置本体２の故障の原因にもなり得る。
【００２７】
そこで、本発明において、現像装置１０とカートリッジ１１の誤装着、及び装置本体２に適していない現像装置及び／又はカートリッジ１１を有した現像ユニット１３が装置本体２に取り付けられることを防ぐために２つの方法を併用した画像形成装置１を提案する。まず第１の方法である現像装置とカートリッジの装着について、図２を用いて説明する。図２において、図１と同じ構成要素は同じ符号を付しており、末尾のアルファベットが異なるものは種別が異なることを意味している。
【００２８】
ここで本実施の形態における「種別」とは、例えば仕向け先で区別することを言う。つまり、図２において、画像形成装置１ａと画像形成装置１ｂは種別が異なる、即ち仕向け先が異なるものであり、それぞれの仕向け地に応じて最適化されて構成されているため、同じ仕様、同じ性能であっても、最適化による調整により構成が若干異なる場合がある。
【００２９】
カートリッジ１１ａは同じ種別である装置本体２ａに最適なトナーを収容しており、更にＲＦＩＤ（Radio Frequency-Identification：電波方式認識）タグ１２ａが取り付けられている。またカートリッジ１１ｂは装置本体２ｂに最適なトナーを収容しており、ＲＦＩＤタグ１２ｂが取り付けられている。ＲＦＩＤタグ１２ａ及び１２ｂは、各カートリッジの種別情報を無線通信によって送信する。このＲＦＩＤタグ１２ａ及び１２ｂはカートリッジ１１の使用回数やトナーの仕様、残量情報等を記憶するメモリを有しており、従来からカートリッジ１１の管理のためにＲＦＩＤタグを用いた方法が実用化されている。本発明においては、これら従来から記憶されている情報に加え、現像ユニット１３の装置本体２への誤装着を防ぐために、ＲＦＩＤタグ１２ａ及び１２ｂが有するメモリはカートリッジ１１の種別情報を更に記憶している。
【００３０】
現像装置１０ａは装置本体２ａに対して最適化された構成になっており、カートリッジ１１ａとのみ装着可能な形状をしている。また、現像装置１０ｂは装置本体２ｂに対して最適化された構成になっており、カートリッジ１１ｂとのみ装着可能な形状をしている。つまり、カートリッジ１１ａと現像装置１０ｂ、カートリッジ１１ｂと現像装置１０ａは装着できない形状となっているため、種別の異なるカートリッジ１１と現像装置１０の誤装着を防ぐことができる。
【００３１】
現像装置１０ａとカートリッジ１１ａが装着状態にある現像ユニット１３ａは、例えば種別の異なる装置本体２であっても取り付け可能な構成となっている。現像ユニット１３ａが装置本体２ａに取り付けられると、ＲＦＩＤタグ１２ａと装置本体２ａに取り付けられたＲＦＩＤユニット（不図示）が無線通信を行う。そして装置本体２ａの判別部（不図示）が、ＲＦＩＤタグ１２ａから送信された種別情報と装置本体２ａの種別が同じものであるかを判別する。
【００３２】
カートリッジ１１ａと装置本体２ａは同じ種別であるため、装置本体２ａの判別部は２つが同じ種別であると判別する。ＲＦＩＤタグ１２ａから送信された種別情報と装置本体２ａの種別が同じということは、カートリッジ１１ａには同じ種別である現像装置１０ａのみ装着可能であることから、現像装置１０ａと装置本体２ａもまた同じ種別ということになる。
【００３３】
一方、現像ユニット１３ａが装置本体２ｂに取り付けられると、ＲＦＩＤタグ１２ａと装置本体２ｂに取り付けられたＲＦＩＤユニット（不図示）が無線通信を行う。そして装置本体２ｂの判別部（不図示）が、ＲＦＩＤタグ１２ａから送信された種別情報と装置本体２ｂの種別が同じものであるかを判別する。
【００３４】
この場合、現像ユニット１３ａは装置本体２ｂと異なる種別のものであるため、装置本体２ｂの判別部は２つが異なる種別であると判別する。そして、ＲＦＩＤタグ１２ａから送信された種別情報と装置本体２ｂの種別が異なるということは、カートリッジ１１ａと装着状態にある現像装置１０ａもまた装置本体２ｂと種別が異なるものであることが分かる。
【００３５】
このように、現像装置１０とカートリッジ１１は同じ種別同士のみ装着可能な形状とし、カートリッジ１１に取り付けられたＲＦＩＤタグを用いて装置本体２の判別部が同じ種別であるかを判別するため、現像装置１０は装置本体２に対して種別を識別させるための特別な装置や回路を備える必要がない。更に、現像ユニット１３の形状を種別の同じ装置本体２にのみ取付可能な形状にする必要もない。つまり、従来から実用化されているカートリッジ１１に取り付けられたＲＦＩＤタグを用いて、装置本体２と現像装置１０の種別の判別を簡単に行うことができる。
【００３６】
次に、誤装着を防ぐための第２の方法であるＲＦＩＤタグについて説明する。図３は装置本体２と現像ユニット１３におけるＲＦＩＤ技術に関する電気的構成を示すブロック図である。カートリッジ１１にはアンテナ（出力手段）１２１及びカートリッジ側メモリ（カートリッジ側記憶手段）１２２等を有したＲＦＩＤタグ１２が取り付けられている。アンテナ１２１は、カートリッジ側メモリ１２２に記憶されている情報を装置本体２に配設されているＲＦＩＤユニット２２に対して無線通信を利用して送信するためのものである。
【００３７】
カートリッジ側メモリ１２２は、収容しているトナーやカートリッジ１１の種別情報を記憶する。種別情報とはトナーやカートリッジ１１の仕向け先情報であり、具体的にはトナーやカートリッジ１１が使用される地域や国等の情報である。この他、トナーやカートリッジ１１の使用情報等も合わせて記憶する。
【００３８】
装置本体２は、制御部２１、ＲＦＩＤユニット（入力手段）２２、装置本体側メモリ（本体側記憶手段）２３、表示パネル（報知手段）２４及び通信部２５を備える。制御部２１はＣＰＵ（Central Processing Unit）や周辺装置等を備えて構成されており、装置本体２の各機能部を統括的に制御し、各種処理を実行する。また、制御部２１は判別部２１１及び中止制御部２１２として機能する。判別部２１１は、カートリッジ１１に取り付けられたＲＦＩＤタグ１２のアンテナ１２１から送信された種別情報と装置本体側メモリ２３に記憶された種別情報とを比較して、取り付けられたカートリッジ１１が装置本体２と同じ種別のものであるかを判別する。
【００３９】
中止制御部２１２は、判別部２１１によって装置本体２に取り付けられたカートリッジ１１が種別の異なるものであると判別されたとき、画像形成に関わる各機能部に対して画像の形成を中止させる制御を行うと共に、ユーザに対して誤った現像装置１０及びカートリッジ１１が装置本体２に取り付けられたことを知らせるためのメッセージ等を表示パネル２４に表示させる制御を行う。
【００４０】
ＲＦＩＤユニット２２は、アンテナ１２１から無線通信によって送信された情報を受信し、受信した情報を制御部２１へ出力する。装置本体側メモリ２３は、装置本体２の仕向け先情報等の種別情報を記憶する。表示パネル２４は、ＬＣＤ（Liquid Crystal Display）等の表示画面で構成されており、ＣＰＵ２１から出力される表示制御信号に従って文字や画像等の表示を行う。
【００４１】
通信部２５は、ＬＡＮボード等の通信モジュールから構成され、通信部２５と接続されたネットワーク９１を介して種々のデータを送受信する。具体的には、通信部２５はパソコン９２から出力された文書データ等をネットワーク９１を介して受信する。通信部２５は受信した文書データを制御部２１へ出力し、制御部２１はこの文書データに基づいた画像形成が行われるよう装置本体２の各機能部に対して動作制御を行う。
【００４２】
図４は、現像ユニット１３が装置本体２に取り付けられたときの処理の流れについて示した図である。現像ユニット１３が装置本体２に取り付けられると（ステップＳ１１；ＹＥＳ）、アンテナ１２１はカートリッジ側メモリ１２２に記憶されている種別情報を送信する。ＲＦＩＤユニット２２はアンテナ１２１から送信された種別情報を受信し、制御部２１へ出力する（ステップＳ１２）。判別部２１１は装置本体側メモリ２３から種別情報を読み出し（ステップＳ１３）、２つの種別情報を比較する（ステップＳ１４）。判別部２１１が同じ種別情報であると判別した場合、装置本体２と現像装置１０も同じ種別のものであると判断し（ステップＳ１５；ＹＥＳ）、制御部２１は装置本体２を画像形成が可能な状態（通常状態）にする（ステップＳ１６）。
【００４３】
一方、判別部２１１が種別情報が異なると判別した場合、装置本体２と現像装置１０も異なる種別のものであると判断し（ステップＳ１５；ＮＯ）、中止制御部２１は誤った現像装置１０が取り付けられたことをユーザに知らせるためのメッセージを表示パネ２４ルに表示させ、装置本体２の各機能部に対して画像形成を中止させる（ステップＳ１７）。
【００４４】
以上、説明したように、現像装置１０とカートリッジ１１は同じ種別同士のみ装着可能な形状とし、判別部２１１がカートリッジ１１に取り付けられたＲＦＩＤタグ１２から発信されるカートリッジ１１の種別情報と装置本体２の種別情報とを比較して装置本体２と現像ユニット１３の適合／不適合を判別する。つまり、判別部２１１が２つの種別情報が同じであると判別した場合、カートリッジ１１に装着されている現像装置１０もまた装置本体２と同じ種別のものであることが分かる。逆に、判別部２１１が２つの種別情報は異なると判別した場合、カートリッジ１１に装着されている現像装置１０もまた装置本体２とは異なる種別のものであることが分かる。
【００４５】
従って、現像装置１０は装置本体２に対して種別を識別させるための特別な装置や回路を備える必要がない。加えて、現像ユニット１３の形状を種別の同じ装置本体２にのみ取付可能な特別な形状にする必要もない。つまり、従来から実用化されているカートリッジ１１に取り付けられたＲＦＩＤタグ１２を用いて、装置本体２と現像装置１０の種別の判別を簡単に行うことができ、コストを削減することができる。
【００４６】
なお、本発明は上記実施の形態の構成に限られず種々の変形が可能である。例えば、本実施の形態では、カートリッジ側メモリ１２２及び装置本体側メモリ２３が記憶する種別情報として仕向け先情報を例に説明したが、判別部２１１が現像装置１０の種別を識別可能な情報であればよく、例えば、カートリッジ側メモリ１２２がカートリッジ１１の型名又はトナーの識別番号等を種別情報として記憶する場合、装置本体側メモリ２３は装置本体２に適したカートリッジ１１の型名又はトナーの識別番号等を記憶することにより、判別部２１１は現像装置１０及びカートリッジ１１が装置本体２と同じ種別か否かを判別することができる。この他に、ユーザによっては特別に調整されたトナーを使用する場合もあるため、カートリッジ側メモリ１２２はユーザ名等のユーザ識別情報を記憶し、同様に装置本体側メモリ２３も装置本体２を使用するユーザ名等を記憶するようにしてもよい。
【図面の簡単な説明】
【００４７】
【図１】画像形成装置の全体概略図。
【図２】現像装置とカートリッジの装着について説明した図。
【図３】装置本体と現像ユニットにおけるＲＦＩＤ技術に関する電気的構成を示すブロック図。
【図４】現像ユニットが装置本体に取り付けられたときの処理の流れについて示した図。
【符号の説明】
【００４８】
１      画像形成装置
２      装置本体
１０    現像装置
１１    カートリッジ
１２    ＲＦＩＤタグ
１２１  アンテナ
１２２  メモリ
１３    現像ユニット
２１    制御部
２１１  判別部
２１２  中止制御部
２２    ＲＦＩＤユニット
２３    装置本体メモリ
２４    表示パネル
２５    通信部
【図１】
2009116150.tif 000003
【図２】
2009116150.tif 000004
【図３】
2009116150.tif 000005
【図４】
2009116150.tif 000006